(57)【要約】【課題】  簡単な構造でありながら、洗い場のスペースを最大限に広く使うことができる上に、カウンターとしても充分に活用することができる浴室ユニットを提供することにある。【解決手段】  浴槽（６）とこの浴槽（６）の横で洗い場（７）側へ突出するように内壁面（１）に設けられるカウンター（５）とを有した浴室ユニットであって、上記カウンター（５）の手前側先端部が、上記浴槽（６）の方へ近づくほど手前側へ突出するように奥行方向の幅が長く形成されたものである。【選択図】  図１
2005034493.tif 000002
【特許請求の範囲】
【請求項１】
浴槽とこの浴槽の横で洗い場側へ突出するように内壁面に設けられるカウンターとを有した浴室ユニットであって、上記カウンターの手前側先端部が、上記浴槽の方へ近づくほど手前側へ突出するように奥行方向の幅が長く形成されたものであることを特徴とする浴室ユニット。
【請求項２】
上記カウンターの手前側先端部の面が、上記内壁面に対して１０°〜２０°の傾斜が付けられていることを特徴とする請求項１記載の浴室ユニット。
【請求項３】
上記カウンター以外に設けられる鏡、シャワー、カランなどの別部材も上記カウンターの手前側先端部の面に合うように傾斜が付けられて設けられたことを特徴とする請求項１または請求項２記載の浴室ユニット。
【発明の詳細な説明】
【技術分野】
【０００１】
本発明は、浴室ユニットに関するものであり、具体的には、浴槽やシャワーや洗い場などが組み合わされて形成された浴室ユニットに関するものである。
【背景技術】
【０００２】
従来の浴室ユニットとしては、例えば、浴槽とこの浴槽の横で洗い場側へ突出するように内壁面に設けられるカウンターとを有していたものが知られており、このカウンターの手前側先端部の面は、上記内壁面と平行となるように取り付けられていたものであった。
【０００３】
ところが、このような浴室ユニットにおいては、カウンターに洗面器などの浴室用品を置くことができるものの、カウンターの手前側先端部が洗い場側へ突出しているために、使用者が洗い場で体に湯水を流したりする際に、同カウンターが使用者にとって邪魔なものとなり、このようなカウンターの設置により洗い場の広さを有効に利用することができない問題があった。
【０００４】
そこで、下記の特許文献１に示された実開昭６１−１３７７１３号公報のようなものが考えられていた。具体的には、図４に示すごとく、浴槽（６）とこの浴槽（６）の横で洗い場（７）側へ突出しないように内壁面（１）の一部に奥方へ窪ませた凹部分を形成して同凹部分の下部に設けられるカウンター（５）とを有しているものであった。なお、このような凹部分にはカウンター（５）以外にも、鏡（２）やカラン（４）と繋げられているシャワー（３）などの浴室用の別部材が設けられていてもかまわないものであった。
【０００５】
また、上記特許文献１と同様に、下記の特許文献２に示された特開２００１−９８７７８号公報のようなものも考えられていた。具体的には、図５および図６に示すごとく、浴槽（６）とこの浴槽（６）の横で洗い場（７）側へ突出させながら、中央部で奥方へ窪ませている、内壁面（１）に取り付けられるカウンター（５）とを有しているものであった。なお、このような内壁面（１）にはカウンター（５）の上部に鏡（２）やカラン（４）やこのカラン（４）と繋げられているシャワー（３）や収納部（１０）などの浴室用の別部材が設けられていてもかまわないものであった。
【特許文献１】実開昭６１−１３７７１３号公報
【特許文献２】特開２００１−９８７７８号公報
【発明の開示】
【発明が解決しようとする課題】
【０００６】
ところで、上述した特許文献１の場合であると、カウンター（５）が内壁面（１）の一部に奥方へ窪ませた凹部分に形成されているために、カウンター（５）が使用者にとって邪魔なものとなることはないものの、凹部分自体が内壁面（１）の一部を奥方へ窪ませて形成する必要があるために、施工としては面倒なものであった。しかも、この図４に示す場合、カラン（４）も内壁面（１）の一部に奥方へ窪ませた凹部分内に設けていないと、凹部分内に鏡（２）を形成していて、使用者がこの鏡（２）を使おうとすると、同カラン（４）が使用者にとって非常に邪魔なものとなり、依然として洗い場（７）のスペースを充分に使っているとは言い難いものであった。
【０００７】
一方、上述した特許文献２の場合であると、シャワー（３）が凹状傾斜部分（８）に取り付けられており、使用者にとってシャワー（３）が取り出しやすくなっている上に、鏡（２）が鏡取付部（９）にて確実に取り付けられており、しかも、中央部で奥方へ窪ませた形状のカウンター（５）が設けられているものであるために、カウンター（５）が使用者にとって邪魔なものとなることはなく、洗い場（７）のスペースを広く使うことができるものであった。しかしながら、このような中央部で奥方へ窪ませた形状のカウンター（５）により、使用者としては同カウンター（５）の中央に浴室での大きな使用物などを置くことができず、同カウンター（５）の両サイド寄りに置かなければならないものであり、結果として、カウンター（５）を充分に活用することができないものとなっていた。
【０００８】
本発明は、上述の事実に鑑みてなされたものであって、その目的とするところは、簡単な構造でありながら、洗い場のスペースを最大限に広く使うことができる上に、カウンターとしても充分に活用することができる浴室ユニットを提供することにある。
【課題を解決するための手段】
【０００９】
上記課題を解決するために、本発明においてはつぎのような技術的手段を講じている。すなわち、本発明の請求項１に係る浴室ユニットは、浴槽（６）とこの浴槽（６）の横で洗い場（７）側へ突出するように内壁面（１）に設けられるカウンター（５）とを有した浴室ユニットであって、上記カウンター（５）の手前側先端部が、上記浴槽（６）の方へ近づくほど手前側へ突出するように奥行方向の幅が長く形成されたものであることを特徴としている。
【００１０】
また、本発明の請求項２に係る浴室ユニットは、上記カウンター（５）の手前側先端部の面が、上記内壁面（１）に対して１０°〜２０°の傾斜が付けられていることを特徴としている。
【００１１】
さらに、本発明の請求項３に係る浴室ユニットは、上記カウンター（５）以外に設けられる鏡（２）、シャワー（３）、カラン（４）などの別部材も上記カウンター（５）の手前側先端部の面に合うように傾斜が付けられて設けられたことを特徴としている。
【発明の効果】
【００１２】
本発明の浴室ユニットによると、浴槽（６）にて使用者は入浴することができ、この浴槽（６）の横で洗い場（７）側へ突出するように内壁面（１）に設けられるカウンター（５）にて使用者は浴室での使用物などを置くことができるようになっているものであり、しかも、同カウンター（５）の手前側先端部が浴槽（６）の方へ近づくほど手前側へ突出するように奥行方向の幅が長く形成されているために、使用者としては同カウンター（５）の中央であっても浴室での大きな使用物などを置くことができるものであり、カウンター（５）の両サイドのうち、浴槽（６）の側では、奥行方向の幅が最も長く形成されていることで、充分に浴室での使用物を置くことができ、浴槽（６）内に使用者がいる場合であっても、同浴槽（６）内にいながら、浴室での使用物を取り出すことができるものであって、結果として、カウンター（５）としては充分に活用することができるものとなり、使用者にとっての使い勝手も良いものである。また、このようにカウンター（５）の手前側先端部が浴槽（６）の方へ近づくほど手前側へ突出するように奥行方向の幅が長く形成されているだけで、簡単な構造でありながら、カウンター（５）が使用者にとって邪魔なものとなることはなく、洗い場（７）のスペースを最大限に広く使うことができるものである。
【００１３】
したがって、本発明は、簡単な構造でありながら、洗い場（７）のスペースを最大限に広く使うことができる上に、カウンター（５）としても充分に活用することができるものである。
【発明を実施するための最良の形態】
【００１４】
以下、この発明を実施するための最良の形態について、図面を参照しながら詳細に説明する。
【００１５】
図１は、本発明の一実施形態に係る浴室ユニットを示した斜視図である。図２は、本発明の一実施形態に係る浴室ユニットを示した要部の断面図である。図３は、本発明の一実施形態に係る浴室ユニットを示した要部の平面図である。
【００１６】
本発明の浴室ユニットは、浴槽やシャワーや洗い場などが組み合わされて形成された浴室ユニットに関するものであり、具体的には、図１ないし図３に示すごとく、浴槽（６）とこの浴槽（６）の横で洗い場（７）側へ突出するように内壁面（１）に設けられるカウンター（５）とを有した浴室ユニットであって、上記カウンター（５）の手前側先端部が、上記浴槽（６）の方へ近づくほど手前側へ突出するように奥行方向の幅が長く形成されているものである。
【００１７】
上記浴槽（６）は、図１ないし図３に示すごとく、家庭などの浴室ユニットに設置されるものであり、通常ステンレスなどの金属製のものや人造大理石製など樹脂製のもの、あるいは、木製のものが採用されているものである。例えば、この浴槽（６）の底部には、同浴槽（６）内に入れられた湯水を排水する排水口が設けられているものである。この排水口には、排水栓が封じるように取り付けられることで、同浴槽（６）内に湯水が入れられて溜められるようになっているものである。
【００１８】
上記カウンター（５）は、図１ないし図３に示すごとく、上記浴槽（６）の横で洗い場（７）側へ突出するように設けられているものである。このカウンター（５）としては、上記内壁面（１）に別途取り付けられているものであってもかまわないし、同内壁面（１）と一体に設けられているものであってもかまわないものである。このカウンター（５）の材質としては、通常樹脂製のものが採用されるものであるが、その他にもカウンターとしての強度を充分に保持することができるものであれば、木製のものなどが採用されてもかまわないものである。
【００１９】
なお、上記内壁面（１）としては、例えば、壁パネルが組み立てられて形成されているものであり、その材質としては、アクリル樹脂やポリオレフィン樹脂やＡＢＳ樹脂などの樹脂が採用されているものである。
【００２０】
本発明においては、図１および図２に示すごとく、上記カウンター（５）の手前側先端部が、上記浴槽（６）の方へ近づくほど手前側へ突出するように奥行方向の幅が長く形成されているものである。このように浴槽（６）の方へ近づくほど手前側へ突出するように奥行方向の幅が長く形成されていると、洗い場（７）の床面に対して斜めにカウンター（５）を設置することとなり、有効寸法としては広くとることができるものである。すなわち、このようにして、浴槽（６）と出入り口側の内壁面（１）との幅が狭くても、使用者が有効に活用することができる洗い場（７）のスペースを広くとることができて、使用者が体を洗う際などに有効に利用され、その結果、使用者にとっての使い勝手は確実に向上するものである。
【００２１】
本発明は、このような構成をとることによって、浴槽（６）にて使用者は入浴することができ、この浴槽（６）の横で洗い場（７）側へ突出するように内壁面（１）に設けられるカウンター（５）にて使用者は浴室での使用物などを置くことができるようになっているものであり、しかも、同カウンター（５）の手前側先端部が浴槽（６）の方へ近づくほど手前側へ突出するように奥行方向の幅が長く形成されているために、使用者としては同カウンター（５）の中央であっても浴室での大きな使用物などを置くことができるものであり、カウンター（５）の両サイドのうち、浴槽（６）の側では、奥行方向の幅が最も長く形成されていることで、充分に浴室での使用物を置くことができ、浴槽（６）内に使用者がいる場合であっても、同浴槽（６）内にいながら、浴室での使用物を取り出すことができるものであって、結果として、カウンター（５）としては充分に活用することができるものとなり、使用者にとっての使い勝手も良いものである。また、このようにカウンター（５）の手前側先端部が浴槽（６）の方へ近づくほど手前側へ突出するように奥行方向の幅が長く形成されているだけで、簡単な構造でありながら、カウンター（５）が使用者にとって邪魔なものとなることはなく、洗い場（７）のスペースを最大限に広く使うことができるものである。
【００２２】
したがって、本発明は、簡単な構造でありながら、洗い場（７）のスペースを最大限に広く使うことができる上に、カウンター（５）としても充分に活用することができるものである。
【００２３】
また、図１および図２に示すごとく、上記カウンター（５）の手前側先端部の面が、上記内壁面（１）に対して１０°〜２０°の傾斜が付けられているものであると、カウンター（５）の手前側先端部が浴槽（６）の方へ近づくほど手前側へ突出するように適度に奥行方向の幅を長く形成することができるものとなり、非常に好ましいものである。また、カウンター（５）の手前側先端部で浴槽（６）と反対側の端部でも適度な奥行方向の幅を維持することができるものとなり、使用者がカウンター（５）を使用する上で好ましいものである。
【００２４】
さらに、図１および図２に示すごとく、上記カウンター（５）以外に設けられる鏡（２）、シャワー（３）、カラン（４）などの別部材も上記カウンター（５）の手前側先端部の面に合うように傾斜が付けられて設けられているものであると、使用者がカウンター（５）を使用しながら、同カウンター（５）の手前側先端部の面に合うように傾斜が付けられて設けられている鏡（２）、シャワー（３）、カラン（４）などの別部材も簡単に使用することができるものであり、非常に使い勝手の良いものとなる。例えば、鏡（２）を見ながら、カウンター（５）に置いたものを簡単に使用することができるものである。
【００２５】
また、鏡（２）、シャワー（３）、カラン（４）などの別部材がカウンター（５）の手前側先端部の面に合うように傾斜が付けられていることで、裏面側に傾斜させた分だけの空間ができるものであり、このような空間を利用して配管や照明の配線などを配設することができて、このような点でも非常に有用なものである。
【００２６】
なお、上記鏡（２）は、例えば、額縁状に形成された取付部に設置することによって取り付け固定されるものであり、そのサイズや形状は、浴室ユニットの大きさなどに応じて自由自在に設定することができるものである。また、シャワー（３）やカラン（４）としても、通常使用されているものが採用されたとしてもかまわないし、あるいは、浴室ユニットの大きさや形態などに応じて自由自在に設定することができるものである。
【図面の簡単な説明】
【００２７】
【図１】本発明の一実施形態に係る浴室ユニットを示した斜視図である。
【図２】本発明の一実施形態に係る浴室ユニットを示した要部の断面図である。
【図３】本発明の一実施形態に係る浴室ユニットを示した要部の平面図である。
【図４】第１の従来例に係る浴室ユニットを示した斜視図である。
【図５】第２の従来例に係る浴室ユニットを示した斜視図である。
【図６】図５の浴室ユニットを示した要部の断面図である。
【符号の説明】
【００２８】
１    内壁面
２    鏡
３    シャワー
４    カラン
５    カウンター
６    浴槽
７    洗い場
【図１】
2005034493.tif 000003
【図２】
2005034493.tif 000004
【図３】
2005034493.tif 000005
【図４】
2005034493.tif 000006
【図５】
2005034493.tif 000007
【図６】
2005034493.tif 000008